(57)【要約】【課題】施工後、キャップを取り外すことなく、壁への取付状態のがたつきを簡単に解消でき、また、取り外しも簡単に行えるようにする。【解決手段】中空構造の本体１と、その先端側の開口部に嵌められるキャップ２とから成り、本体１の基端側に形成した貫穴３に取付ねじ１１の軸部１１ａを挿通して、取付ねじ１１を壁Ｗにねじ込み、壁Ｗに固定する壁取付用突出具において、本体１の中空部分の基端側に、貫穴３に連通して、取付ねじ１１の頭部１１ｂが回転に伴い係合する角形状の係合凹所４を形成する。本体１の外周を手で把持して回転させるだけで、取付ねじ１１が壁Ｗにねじ込まれ、本体１が壁Ｗ側に密着するので、キャップ２を取り外すことなく、簡単な操作でがたつきを解消できる。また、本体１の外周を手で把持して取付時とは逆方向へ回転させるだけで、壁Ｗから取り外すことができる。【選択図】図２
2013241957.tif 000002
【特許請求の範囲】
【請求項１】
中空構造の本体(1)と、その先端側の開口部に嵌められるキャップ(2)とから成り、本体(1)の基端側に形成した貫穴(3)に取付ねじ(11)の軸部(11a)を挿通して、取付ねじ(11)を壁(W)にねじ込み、壁(W)に固定する壁取付用突出具において、前記本体(1)の中空部分の基端側に、貫穴(3)に連通して、取付ねじ(11)の頭部(11b)が回転に伴い係合する角形状の係合凹所(4)を形成したことを特徴とする壁取付用突出具。
【請求項２】
前記本体(1)を、外筒部材(5)と、その基部内周に螺合する固定部材(6)とから構成し、この固定部材(6)に、前記貫穴(3)及び係合凹所(4)を形成したことを特徴とする請求項１に記載の壁取付用突出具。
【発明の詳細な説明】
【技術分野】
【０００１】
この発明は、戸当りや帽子掛け用フック等として壁（建具や柱、鴨居、長押等を含む）に取り付けられる突出具に関するものである。
【背景技術】
【０００２】
従来、戸当り及び帽子掛け用フックとなる突出具として、下記特許文献１には、図６に示すように、中空構造の本体５１と、その先端側の開口部に嵌められるキャップ５２とから成るものが記載されている。
【０００３】
この突出具は、キャップ５２を外した状態で、本体５１の基端側に形成した貫穴５３に取付ねじ６１の軸部を挿通し、本体５１の突起５４を壁Ｗの穴に差し込んで、本体５１と取付ねじ６１との共回りを防止しつつ、取付ねじ６１を壁Ｗにねじ込み、本体５１を壁Ｗに固定した後、キャップ５２を本体５１に嵌めて、施工を完了する。
【先行技術文献】
【特許文献】
【０００４】
【特許文献１】実開平１−１７１８８４号公報
【発明の概要】
【発明が解決しようとする課題】
【０００５】
しかしながら、上記のような突出具では、施工後の経年に伴い、取付ねじ６１の締め付けが緩んで、壁Ｗへの取付状態にがたつきが生じたとき、本体５１からキャップ５２を取り外して、取付ねじ６１を締め直さなければ、がたつきを解消することができず、キャップ５２の取り外しが困難な場合、壁にしっかりと固定し直すことができない。
【０００６】
また、不要となって壁Ｗから取り外す際、キャップ５２を本体５１から強い力で引き抜くか、本体５１を破壊して、取付ねじ６１の頭部を露出させなければ、取付ねじ６１を緩めて、壁Ｗから取り外すことができない。
【０００７】
そこで、この発明は、施工後、キャップを取り外すことなく、壁への取付状態のがたつきを簡単に解消でき、また、取り外しも簡単に行えるようにすることを課題とする。
【課題を解決するための手段】
【０００８】
上記課題を解決するため、この発明は、中空構造の本体と、その先端側の開口部に嵌められるキャップとから成り、本体の基端側に形成した貫穴に取付ねじの軸部を挿通して、取付ねじを壁にねじ込み、壁に固定する壁取付用突出具において、前記本体の中空部分の基端側に、貫穴に連通して、取付ねじの頭部が回転に伴い係合する角形状の係合凹所を形成したのである。
【０００９】
また、前記本体を、外筒部材と、その基部内周に螺合する固定部材とから構成し、この固定部材に、前記貫穴及び係合凹所を形成したのである。
【発明の効果】
【００１０】
この発明に係る突出具では、壁への取付状態にがたつきが生じても、本体の外周を手で把持して回転させるだけで、取付ねじが壁にねじ込まれ、又は、固定部材に対し外筒部材が螺進して、本体が壁側に密着するので、キャップを取り外すことなく、簡単な操作でがたつきを解消し、壁にしっかりと固定し直すことができる。
【００１１】
また、不要となった場合には、本体の外周を手で把持して取付時とは逆方向へ回転させるだけで、壁から取り外すことができる。
【図面の簡単な説明】
【００１２】
【図１】この発明に係る戸当りの第１実施形態を示す斜視図
【図２】同上の壁への取付状態を示す縦断側面図
【図３】この発明に係るフックの実施形態を示す斜視図
【図４】同上の壁への取付状態を示す縦断側面図
【図５】この発明に係る戸当りの第２実施形態の壁への取付状態を示す縦断側面図
【図６】従来の壁取付用突出具の壁への取付状態を示す縦断側面図
【発明を実施するための形態】
【００１３】
以下、この発明の実施形態を添付図面に基づいて説明する。
【００１４】
まず、図１及び図２に基づいて、戸当りの第１実施形態について説明する。この戸当りは、プラスチックや金属を材料とする円筒状の本体１と、その先端側の開口部に嵌められるゴム製のキャップ２とから成る。キャップ２は、本体１に嵌めた状態で、先端部分が本体１から突出し、開放されたドアの突き当たりに伴う衝撃を緩和する。
【００１５】
本体１には、肉厚とされた基端側部分に貫穴３が形成され、中空部分の基端側に、貫穴３に連通して、六角形状の係合凹所４が形成されている。
【００１６】
この戸当りを壁Ｗに取り付けるには、取付ねじ１１として、軸部１１ａと六角形の頭部１１ｂから成る十字穴付きタッピンねじを使用する。また、壁Ｗに壁紙が貼られている場合には、本体１の回転に伴う壁紙の引きつれを防止するため、座金１２を使用する。
【００１７】
そして、本体１からキャップ２を外した状態で、取付ねじ１１の軸部１１ａを貫穴３及び座金１２の穴に挿通して、本体１の中空部分に先端側から挿入したドライバーにより、取付ねじ１１を壁Ｗにねじ込む。
【００１８】
次に、取付ねじ１１の頭部１１ｂが係合凹所４に達して、取付ねじ１１の回転に伴い頭部１１ｂと係合凹所４とが係合する状態となった後、本体１の外周を手で把持して、本体１を回転させ、これに伴い取付ねじ１１を回転させて、さらに壁Ｗにねじ込む。
【００１９】
このねじ込みにより、本体１の基端面が座金１２を介して壁Ｗに圧着され、本体１が壁Ｗに固定されるので、その状態で、キャップ２を本体１に嵌めて、施工を完了する。
【００２０】
上記のような戸当りでは、施工後時間が経過し、壁Ｗへの取付状態にがたつきが生じても、本体１の外周を手で把持して回転させるだけで、取付ねじ１１が壁Ｗにねじ込まれ、本体１が壁Ｗ側に密着するので、キャップ２を取り外すことなく、簡単な操作でがたつきを解消し、壁Ｗにしっかりと固定し直すことができる。
【００２１】
また、不要となった場合には、本体１の外周を手で把持して取付時とは逆方向へ回転させるだけで、壁Ｗから取り外すことができる。
【００２２】
次に、図３及び図４に基づいて、帽子掛けや荷物掛け等として使用されるフックの実施形態について説明する。このフックは、外周が円形とされた先広がりの本体１と、その先端側の開口部に嵌められるキャップ２とから成り、本体１及びキャップ２は、いずれもプラスチック製とされている。
【００２３】
本体１は、外枠部１ａの内側に芯筒１ｂを有する中空構造とされ、基端側が中央部の貫穴３以外の部分で閉塞されている。芯筒１ｂの内部の基端側には、貫穴３に連通して、六角形状の係合凹所４が形成されている。キャップ２は、円盤部２ａの裏面中央部から差込筒２ｂが突き出した構造とされている。
【００２４】
このフックを壁Ｗに取り付けるには、上記戸当りの場合と同様、取付ねじ１１として、軸部１１ａと六角形の頭部１１ｂから成る十字穴付きタッピンねじを使用する。また、壁Ｗに壁紙が貼られている場合には、本体１の回転に伴う壁紙の引きつれを防止するため、座金を使用するほうがよいが、ここでは省略する。
【００２５】
そして、本体１からキャップ２を外した状態で、取付ねじ１１の軸部１１ａを貫穴３に挿通して、本体１の芯筒１ｂの内側部分に先端側から挿入したドライバーにより、取付ねじ１１を壁Ｗにねじ込む。
【００２６】
次に、取付ねじ１１の頭部１１ｂが係合凹所４に達して、取付ねじ１１の回転に伴い頭部１１ｂと係合凹所４とが係合する状態となった後、本体１の外周を手で把持して、本体１を回転させ、これに伴い取付ねじ１１を回転させて、さらに壁Ｗにねじ込む。
【００２７】
このねじ込みにより、本体１の基端面が壁Ｗに圧着され、本体１が壁Ｗに固定されるので、その状態で、キャップ２を本体１に嵌めて、施工を完了する。キャップ２は、本体１に一旦嵌められると、差込筒２ｂが芯筒１ｂに圧入され、円盤部２ａの外周部分が外枠部１ａの先端縁部に嵌まり込むので、本体１から取り外すことが極めて困難となる。
【００２８】
上記のようなフックでは、施工後時間が経過し、壁Ｗへの取付状態にがたつきが生じても、本体１の外周を手で把持して回転させるだけで、取付ねじ１１が壁Ｗにねじ込まれ、本体１が壁Ｗ側に密着するので、キャップ２を取り外すことなく、簡単な操作でがたつきを解消し、壁Ｗにしっかりと固定し直すことができる。
【００２９】
また、不要となった場合には、本体１の外周を手で把持して取付時とは逆方向へ回転させるだけで、壁Ｗから取り外すことができる。
【００３０】
次に、図５に基づいて、戸当りの第２実施形態について説明する。この戸当りの本体１は、円筒状の外筒部材５と、その基部に内接する固定部材６とから成り、これらは金属製とされている。外筒部材５の基部内周及び固定部材６の外周には、互いに螺合するねじ部５ａ，６ａが形成されている。外筒部材５の先端側の開口部には、開放されたドアの突き当たりに伴う衝撃を緩和するため、ゴム製のキャップ２が嵌められる。
【００３１】
固定部材６には、両端面間に貫穴３が形成され、貫穴３に連通して、外筒部材５の中空部分に臨むように、六角形状の係合凹所４が形成されている。
【００３２】
この戸当りを壁Ｗに取り付けるには、取付ねじ１１として、軸部１１ａと六角形の頭部１１ｂから成る十字穴付きタッピンねじを使用する。また、壁Ｗに壁紙が貼られている場合には、本体１の回転に伴う壁紙の引きつれを防止するため、座金を使用するほうがよいが、ここでは省略する。
【００３３】
そして、外筒部材５に螺合させる前の固定部材６を、壁Ｗの所定の位置に当てて、取付ねじ１１の軸部１１ａを貫穴３に挿通し、ドライバーにより、取付ねじ１１を壁Ｗにねじ込み、固定部材６を壁Ｗに固定する。
【００３４】
このとき、取付ねじ１１の頭部１１ｂが係合凹所４に達して、取付ねじ１１の回転に伴い頭部１１ｂと係合凹所４とが係合する状態となった後も、ドライバーで取付ねじ１１を固定部材６と共に回して締め付け、固定部材６を壁Ｗに堅固に固定することができる。
【００３５】
その後、ねじ部５ａ，６ａの螺合に伴い、外筒部材５を固定部材６にねじ込むと、外筒部材５の基端面が壁Ｗに圧着され、外筒部材５が壁Ｗに固定される。キャップ２は、外筒部材５の壁Ｗへの固定作業前に、予め外筒部材５に嵌めておいてもよく、外筒部材５を壁Ｗに固定した後、外筒部材５に嵌めてもよい。
【００３６】
上記のような戸当りでは、施工後時間が経過し、壁Ｗへの取付状態にがたつきが生じても、外筒部材５の外周を手で把持して回転させるだけで、固定部材６に対し外筒部材５が螺進して、外筒部材５が壁Ｗ側に密着するので、キャップ２を取り外すことなく、簡単な操作でがたつきを解消し、壁Ｗにしっかりと固定し直すことができる。
【００３７】
また、不要となった場合には、本体１の外周を手で把持して取付時とは逆方向へ回転させるだけで、外筒部材５を固定部材６から分離して、壁Ｗから取り外すことができる。
【符号の説明】
【００３８】
１  本体
１ａ  外枠部
１ｂ  芯筒
２  キャップ
２ａ  円盤部
２ｂ  差込筒
３  貫穴
４  係合凹所
５  外筒部材
５ａ  ねじ部
６  固定部材
６ａ  ねじ部
１１  取付ねじ
１１ａ  軸部
１１ｂ  頭部
１２  座金
Ｗ  壁
【図１】
2013241957.tif 000003
【図２】
2013241957.tif 000004
【図３】
2013241957.tif 000005
【図４】
2013241957.tif 000006
【図５】
2013241957.tif 000007
【図６】
2013241957.tif 000008